(57)【特許請求の範囲】
【請求項１】
防滴室とケース外部への通気路に設けた排出室に、前記通気路の前記ケース外部への開口部である外部通気孔とは異なる排水孔を備えたケースの防滴構造において、
前記防滴室と前記排出室との間に、前記防滴室と連通する第１連通孔を有した第１仕切壁と、前記排出室に連通する第２連通孔を有した第２仕切壁とに仕切られた貯留室を備え、
前記貯留室に、水を排出するときに開口する開閉排水孔を設けることを特徴とするケースの防滴構造。
【請求項２】
前記貯留室を介して前記通気路が屈曲するように、前記防滴室、前記貯留室、及び前記排出室を配置することを特徴とする請求項１に記載のケースの防滴構造。
【請求項３】
少なくとも前記防滴室の一部を覆い、前記ケース外部から外すことのできる蓋に、前記開閉排水孔を塞ぐ閉止栓を備えることを特徴とする請求項１又は２に記載のケースの防滴構造。
【請求項４】
前記ケースの使用時、又は前記ケースの保管時の少なくともどちらかの姿勢のときに、前記外部通気孔を、前記排水孔と前記開閉排水孔よりも高い位置に、且つ、前記第１連通孔と前記第２連通孔とを、前記排水孔と前記開閉排水孔よりも高い位置に配置することを特徴とする請求項１〜３のいずれか１項に記載のケースの防滴構造。
【請求項５】
前記第１仕切壁の壁面から前記貯留室内部に突出した位置に前記第１連通孔の前記貯留室側の開口部を設け、前記第２仕切壁の壁面から前記排出室内部に突出した位置に前記第２連通孔の前記排出室側の開口部を設け、
前記外部通気孔の開口の大きさを、前記排水孔と前記開閉排水孔の開口の大きさよりも小さく形成し、前記第１連通孔の貯留室側の開口部の開口の大きさと前記第２連通孔の排出室側の開口部の開口の大きさとを、前記排水孔と前記開閉排水孔の開口の大きさよりも小さく形成することを特徴とする請求項１〜４のいずれか１項に記載のケースの防滴構造。
【請求項６】
請求項１〜５のいずれか１項に記載のケースの防滴構造を備えることを特徴とする携帯可能な温度計測器用ケース。
【請求項７】
前記蓋を、前記防滴室に設けた温度計測器の電源装置を保持する電源装置用カバーで形成することを特徴とする請求項６に記載の温度計測器用ケース。
【発明の詳細な説明】
【技術分野】
【０００１】
本発明は、携帯用計測器などにおいて、内部の基板や電源装置を外部から完全に密閉せずに、通気性を確保して格納すると共に、内部の基板や電源装置への防滴性を向上することができるケースの防滴構造と携帯可能な温度計測器用ケースに関する。
【背景技術】
【０００２】
通常、計測器等で使用するケースを、上下又は左右等の２つ以上の合成樹脂製や金属製の部品で構成し、凹凸の爪やネジ、蝶番等の結合構造、及び、接着や溶接等の接合構造により組み立てている。この２つ以上のケース部品で組み立てられたケース内に、電子部品等の水に弱い物を収納する場合は、ケースに防水機能や防滴機能が必要となる。
【０００３】
しかしながら、従来技術の防水、又は防滴構造の一つであるゴムパッキンを使用する場合には、汎用品や注文生産品の区別によらず、部品点数の増加と工数の増加となり、コストアップの要因となる。また、合成樹脂系の充填剤によりシールする場合には、ケースの再開封の作業性が悪くなり、また、ケース全体を合成樹脂系材料で包み込んで完全密封してしまう場合には再開封が困難となる。
【０００４】
また、ケースの材料の劣化や耐久性の問題からケースの一部が変形したり、携帯時や測定時に外力が加わって変形したりして、ケース部品の接合面に歪みが生じて、シール機能及び水密性が損なわれる場合も生じ、更には、水分が防水、又は防滴エリアに侵入する場合も生じる。
【０００５】
そして、密封により防水、又は防滴機能を確保する場合には、一旦浸水を許すと、逆に侵入した水分の排出が困難になり、浸入した水分によるショートや材料特性の変化等が生じる等のケース内部の機器類のトラブルを発生する。
【０００６】
一方、携帯用の計測器等の場合には、機器類を収納している格納室と外部との間に通気性を要求される場合もある。例えば、保管場所と使用場所によって温度変化が激しく、計測器を温かい室内から、寒い室外に持ち出して温度等の計測をするような時には、室外への移動に伴ってケースが冷却され内部の気圧が減少し負圧となる。また、使用時に内部で発熱するような場合には、内部空気の熱膨張により内部圧力が高まり、内部空気が外部に漏れ易く、漏れた場合には、温度低下時に外部に対して内部が負圧になる。
【０００７】
そのため、外部の高湿の空気やケースに付着した水分が、ケースの変形などにより生じた僅かな隙間から内部に侵入し、この水分が内部の温度低下により内部で結露が生じる等の問題が生じる。しかし、水滴の混入後や結露が生じた後に、通気性を確保している場合には、暖機や乾燥作業により、ケース内の水分を蒸発させて通気により外部に排出させることが可能となる。そのため、外部との通気性が重要となる。
【０００８】
上記の課題に対して、本発明者は、外部と防滴室との間に、水滴保持室を設けると共に、その水滴保持室と外部との外部仕切り壁に排水孔を、水滴保持室と防滴室との内部仕切り壁に通気孔をそれぞれ設けた装置（例えば、特許文献１参照）を提案した。
【０００９】
この装置は、防滴室の通気性を確保すると共に、外部から進入した水を水滴保持室に溜めて、又は排水孔から排出することにより、防滴室への水の進入を防ぐことができる。しかし、水滴保持室に溜まった水が、防滴室へ進入し、防滴室の内部に保持した電子部品などの水に弱い物が故障する可能性があるため、より高い防滴性が必要であった。
【先行技術文献】
【特許文献】
【００１０】
【特許文献１】特開２００４−２４１７１５号公報
【発明の概要】
【発明が解決しようとする課題】
【００１１】
本発明は、上記の問題を鑑みてなされたものであり、その目的は、形状の工夫により、部品点数の増加を伴わずに外部との通気性を確保して内部における結露を防止でき、従来よりも防滴性を向上することができるケースの防滴構造と携帯可能な温度計測器用ケースを提供することである。
【課題を解決するための手段】
【００１２】
上記の目的を解決するための本発明のケースの防滴構造は、防滴室とケース外部への通気路に設けた排出室に、前記通気路の前記ケース外部への開口部である外部通気孔とは異なる排水孔を備えたケースの防滴構造において、前記防滴室と前記排出室との間に、前記防滴室と連通する第１連通孔を有した第１仕切り壁と、前記排出室に連通する第２連通孔を有した第２仕切り壁とに仕切られた貯留室を備え、前記貯留室に、水を排出するときに開口する開閉排水孔を設けて構成される。
【００１３】
この構成によれば、防滴室とケース外部とは通気路によって、通気性を確保することで、ケース内部の結露を防止し、一方で外部からの水の進入を排出室で一旦防ぎ、仮に排出室で水の進入を防ぐことができなくても、貯留室で水の進入を防ぐことができる。これにより、外部との通気性を確保して内部における結露を防止するケースの防滴構造の通気性を損なわずに、外部からの防水性を向上することができる。
【００１４】
また、ここでいう開閉排水孔とは、水の排出路を蓋、栓、又は弁などにより開閉可能に構成した排水孔のことであり、その開閉排水孔が、貯留室に溜まった水を排出するときに開口するので、通常の状態では外部から開閉排水孔を介して水が進入せず、そして、貯留室に水が溜まった場合は、その溜まった水を外部へ排出することができる。
【００１５】
また、上記のケースの防滴構造において、前記貯留室を介して前記通気路が屈曲するように、前記防滴室、前記貯留室、及び前記排出室を配置すると、水の進入路になり得る通気路が貯留室内で屈曲することで、貯留室から防滴室への水の進入を妨げることができ、より防滴室の防水性を向上することができる。
【００１６】
加えて、上記のケースの防滴構造において、少なくとも前記防滴室の一部を覆い、前記ケース外部から外すことのできる蓋に、前記開閉排水孔を塞ぐ閉止栓を備えると、開閉排水孔の栓を外部から外すことのできる蓋に設けているため、ケースを分解しなくとも、貯留室に溜まった水を容易に排出することができる。
【００１７】
その上、上記のケースの防滴構造において、前記ケースの使用時、又は前記ケースの保管時の少なくともどちらかの姿勢のときに、前記外部通気孔を、前記排水孔と前記開閉排水孔よりも高い位置に、且つ、前記第１連通孔と前記第２連通孔とを、前記排水孔と前記開閉排水孔よりも高い位置に配置する。
【００１８】
この構成によれば、ケースの使用時や保管時の姿勢では、外部通気孔より進入した水滴を、外部通気孔よりも低い位置にある排水孔から外部へ排出することができ、且つ、貯留室と排出室とに溜めることができる水量を多くすることができる。これによれば、ケースの使用時や保管時の姿勢での防滴室の防滴性を向上することができる。
【００１９】
さらに、上記のケースの防滴構造において、前記第１仕切壁の壁面から前記貯留室内部に突出した位置に前記第１連通孔の前記貯留室側の開口部を設け、前記第２仕切壁の壁面から前記排水室内部に突出した位置に前記第２連通孔の前記排水室側の開口部を設け、前記外部通気孔の開口の大きさを、前記排水孔と前記開閉排水孔の開口の大きさよりも小さく形成し、前記第１連通孔の貯留室側の開口部の開口の大きさと前記第２連通孔の排水室側の開口部の開口の大きさとを、前記排水孔と前記開閉排水孔の開口の大きさよりも小さく形成する。
【００２０】
この構成によれば、各連通孔の開口部を各仕切り壁よりも突出した位置に設けることで、ケースの姿勢が変化しても、各連通孔の開口部が溜まった水面よりも高くなるので、各連通孔を介して防滴室へ水が進入することを防ぐことができる。
【００２１】
また、水が外部通気孔から排出室に進入した場合は、排水孔の開口のよりも外部通気孔の開口の大きさが小さいため、進入する水量よりも排出される水量の方が多くなるので、貯留室への水の進入がなく、防滴室への水の進入を防ぐことができる。一方で、万が一、水が排水孔から排出室に進入した場合は、進入する水量が排出される水量よりも多くなり、貯留室へ水が進入するが、外部通気孔から水を排出すると同時に、貯留室に水を溜めることができるので、防滴室への水の進入を防ぐことができ、さらに貯留室に溜まった水は後から開閉排水孔より外部へ排出することができる。
【００２２】
上記の目的を解決するための本発明の携帯可能な温度計測器用ケースは、上記に記載のケースの防滴構造を備えて構成される。
【００２３】
この構成によれば、温度計測器用ケースに通気性を確保することができるので、携帯可能で使用状況が変化して、ケースの内部と外部の温度に変化がある場合、及びケース内部の計測機器が発熱する場合にケース内部が負圧となって、外部から水が進入し、結露しても、その結露により発生した水滴を外部へ排出することができる。
【００２４】
また、温度計測器用ケースの防滴性を向上させても、ゴムパッキンやケースの嵌合部にシールを用いていないので、部品点数と工数が減少して、製造コストを低減することができる。加えて、温度計測器用ケースを容易に分解することができ、メンテナンス性も向上することができる。
【００２５】
また、上記の携帯可能な温度計測器用ケースは、前記蓋を、前記防滴室に設けた温度計測器の電源装置を保持する電源装置用カバーで形成すると、外部から容易に取り外すことができる電源装置用カバーに閉止栓を設けているので、仮に貯留室に水が溜まった場合に、いちいち温度計測器用ケースを分解せずに、その電源装置用カバーを外すことで、直ぐに貯留室に溜まった水を排出することができる。
【発明の効果】
【００２６】
本発明によれば、形状の工夫により、部品点数の増加を伴わずに外部との通気性を確保して内部における結露を防止でき、従来よりも防滴性を向上することができる。
【図面の簡単な説明】
【００２７】
【図１】本発明に係る実施の形態のケースの防滴構造を示す中央断面を含む斜視図である。
【図２】図１のケースの防滴構造を模式的に示す部分断面図である。
【図３】図１のケースの防滴構造における水滴の排出状況を模式的に示す部分断面図であり、ケースの使用時、又は保管時の姿勢を示す図である。
【図４】図１のケースの防滴構造における水滴の排出状況を模式的に示す部分断面図であり、ケースの使用時、又は保管時の姿勢で、防滴室用カバーを外した状態を示す図である。
【図５】図１のケースの防滴構造における水滴の排出状況を模式的に示す部分断面図であり、外部通気孔が上方に開口した状態を示す図である。
【図６】図１のケースの防滴構造における水滴の排出状況を模式的に示す部分断面図であり、排水孔が上方に開口した状態を示す図である。
【図７】図１のケースの防滴構造における水滴の排出状況を模式的に示す部分断面図であり、外部通気孔が下方に開口した状態を示す図である。
【図８】本発明に係る実施の形態の携帯可能な温度計測器用ケースを示す側面図である。
【図９】図８の上側部分を示す図であり、（ａ）は図８のＩＸａ−ＩＸａで示す上面図であり、（ｂ）は（ａ）の裏側を示す下面図である。
【図１０】図９の各部分を示す図であり、（ａ）は図９のＸａ−Ｘａで示す背面図であり、（ｂ）は図９のＸｂ−Ｘｂで示す断面図であり、（ｃ）は図９のＸｃ−Ｘｃで示す断面図であり、（ｄ）は図９のＸｄ−Ｘｄで示す断面図である。
【図１１】図８の下側部分を示す図であり、（ａ）は図８のＸＩａ−ＸＩａで示す上面図であり、（ｂ）は（ａ）の裏側を示す下面図である。
【図１２】図８の電源装置用カバーを示す図であり、（ａ）は図８のＸＩＩａ−ＸＩＩａで示す上面図であり、（ｂ）は（ａ）の裏側を示す下面図であり、（ｃ）は（ａ）の側面図である。
【発明を実施するための形態】
【００２８】
以下、本発明に係る実施の形態のケースの防滴構造と、携帯可能な温度計測器用ケースについて、図面を参照しながら説明する。ここで、図面の左右方向をｘ方向、上下方向をｙ方向、及び紙面に垂直な方向をｚ方向とする。なお、図面に関しては、構成が分かり易いように寸法を変化させており、各部材、各部品の板厚や幅や長さなどの比率も必ずしも実際に製造するものの比率とは一致させていない。
【００２９】
図１に示すように、本発明の実施の形態のケースの防滴構造１０は、ケース１と防滴室用カバー（蓋）２とからなり、外部仕切壁３、４、５、６、第１仕切壁７、及び第２仕切壁８によりケース１を、防滴室１１、貯留室１２、及び排出室１３とに区画する。なお、図１はケース１の使用時、又は保管時の姿勢の状態を示しており、外部仕切壁３を上面、及び外部仕切壁５を下面とする。
【００３０】
防滴室１１は、防滴室用カバー２により、外部仕切壁５に設けた開口部１１ａを密閉され、内部に、電子部品を用いた主基板や電源装置などの水に弱い部品を収納する。その防滴室用カバー２を、防滴室１１の内部のものを容易に交換することが可能なように、ケース１へ脱着可能に形成する。この防滴室用カバー２を防滴室１１に装着したときは、ケース１との嵌合部分より防滴室１１へ水が進入しないように、全周リブ２ａを設けるとよい。
【００３１】
貯留室１２は外部から侵入した水滴、又は内部の結露により発生した水滴を防滴室１１へ侵入させないように貯留し、排水室１２は外部から侵入した水滴、又は内部の結露により発生した水滴を排出するように構成する。
【００３２】
その構成として、第１仕切壁７に第１連通孔１４を設けて、防滴室１１と貯留室１２とを連通し、第２仕切壁８に第２連通孔１５を設けて、貯留室１２と排出室１３とを連通する。また、外部仕切壁４に外部通気孔１６を設けて、排出室１３の内部とケース１の外部とを連通する。これにより、防滴室１１からケース１の外部への通気性を確保するように
、第１連通孔１４と第２連通孔１５と外部通気孔１６とからなる通気路１７を形成することができる。
【００３３】
加えて、排出室１３の外部仕切壁５に排水孔１８を設け、貯留室１２の外部仕切壁５に開閉排水孔１９を設ける。さらに、防滴室用カバー２に開閉排水孔１９の栓となる閉止栓２０を設ける。
【００３４】
図２に示すように、第１連通孔１４の貯留室１２側の開口部１４ａを、貯留室１２から防滴室１１へ容易に水が進入しないように、第１仕切壁７より貯留室１２側へ突出する位置ｘ１に設ける。この構成によれば、開口部１４ａが貯留室１２の内壁面から離れて位置するので、ケース１の姿勢が変化しても、貯留室１２に溜まった水が防滴室１１へ進入しにくくすることができる。
【００３５】
また、防滴室１１側の開口部１４ｂを、防滴室１１から貯留室１２へ、防滴室１１の空気が外部へ流通し易くなるように、又、結露などで生じた水滴を流出し易くなるように、面取り加工して形成する。加えて、この第１連通孔１４の開口部１４ａの大きさは、例えば、貯留室１２に水が溜まっても貯留室１２から防滴室１１へ水が進入し難い大きさ、つまり、水の表面張力が十分に働き防滴室１１内部の圧力によって水が防滴室１１へ進入し難い大きさｒ１が好ましい。
【００３６】
第２連通孔１５も同様に、防滴室１３側の開口部１５ａを、第２仕切壁８より排出室１３側へ突出する位置ｘ２に設け、貯留室１２側の開口部１５ｂを、面取り加工して形成する。この第２連通孔１５の開口部１５ａも前述の開口部１４ａと略同様の大きさｒ２に形成する。
【００３７】
上記の第１連通孔１４の開口位置ｙ１と第２連通孔１５の開口位置ｙ２とは、ｙｚ平面で一致しない（同一平面内で一致しない）位置が、つまり第１連通孔１４と第２連通孔１５とが直列にならない位置がよく、例えば、防滴室１１と貯留室１２と排出室１３との並びを、通気路１７が屈曲するように配置するとよりよい。
【００３８】
外部通気孔１６を、外部仕切壁４に、また、第２連通孔１５とｙｚ平面で交わらない位置に設ける。この外部通気孔１６の開口位置は、排水孔１８と開閉排水孔１９の位置よりも、ケース１の使用時、又は保管時の少なくともどちらかの姿勢で高くなる位置に、好ましくは、外部仕切壁３寄りの位置ｙ３に設ける。この外部通気孔１６の外部側の開口部１６ａと排出室側の開口部１６ｂも前述と同様に形成する。
【００３９】
排水孔１８を外部通気孔１６よりも低い位置ｙ４で、ケース１の使用時、又は保管時の姿勢で下面となる外部仕切壁５に設ける。この排水孔１８の外部側の開口部１８ａの大きさｒ４は、外部通気孔１６の開口部１６ａの大きさｒ３よりも大きく形成する。排出室１３側の開口部１８ｂを面取り加工して形成する。
【００４０】
上記のように、外部通気孔１６と排水孔１８を構成すると、ケース１の通気性を確保すると共に、ケース１の使用時、又は保管時の姿勢では、外部から侵入した水滴、又は内部の結露により発生した水滴を、常に排水孔１８から外部へと排出することができる。
【００４１】
開閉排水孔１９も排水孔１８と同様に、外部通気孔１６よりも低い位置ｙ４で、ケース１の使用時、又は保管時の姿勢で下面となる外部仕切壁５に設け、外部側の開口部１９ａの大きさｒ５を、外部通気孔１６の開口部１６ａの大きさｒ３よりも大きく形成し、貯留室１２側の開口部１９ｂは面取り加工して形成する。
【００４２】
防滴室用カバー２に設けた閉止栓２０は、ケース１に防滴室用カバー２を装着したときに、開閉排水孔１９を遮蔽することができればよく、その構成は限定しない。
【００４３】
上記のように、開閉排水孔１９と閉止栓２０を構成すると、開閉排水孔１９の開閉を閉止栓２０で行うことができる。これにより、ケース１の使用時、又は保管時に、貯留室１２を外部と直接連通させずに、外部から直接貯留室１２へ水が進入することを防止し、また、貯留室１２に溜まった水を防滴室１１へ進入する前に排出することができる。結果、外部から侵入する水を排水室１３で排出仕切れずに、従来であれば、防滴室１１へ侵入する水を貯留し、排出することができので、防滴室１１の防滴性を向上することができる。
【００４４】
上記の防滴構造１０によれば、防滴室１１は通気路１７を介してケース１の外部と連通しており、通気性を確保し、防滴室１１内部の空気を外部へと流通させることができ、且つ、外部から進入した水滴、又は内部の結露で発生した水滴を外部へ排出することができるので、防滴室１１内の水に弱いものを保護することができる。
【００４５】
また、仮に、外部から侵入する水の量が多くても、防滴室１１と排出室１３との間に設けた貯留室１２で、水を溜めることができるので、従来に比べて防滴室１１の防滴性が向上する。加えて、貯留室１２に溜まった水を防滴室用カバー２を外すだけで、外部へと排出することができ、ケース１を分解する必要がない。
【００４６】
次に、上記の防滴構造１０のケース１内部に進入した水の排出方法について説明する。図３に示すように、ケース１の使用時、又は保管時の姿勢の状態（外部仕切壁３が上面、外部仕切壁５が下面）では、排水孔１８がｙ方向の下方に開口するので、排出室１３に外部から侵入した水滴、又は内部で結露した水滴である水ｗ１を、重力の作用によって、排水孔１８から外部へと排出することができる。
【００４７】
また、水が外部通気孔１６から排出室１３に進入した場合は、排水孔１３の開口のよりも外部通気孔１６の開口の大きさが小さいため、進入する水量よりも排出される水量の方が多くなるので、貯留室１２への水の進入がなく、防滴室１１への水の進入を防ぐことができる。
【００４８】
排出室１３では、上記のように、常に水ｗ１は、排水孔１８から外部へと排出することができるが、一方、排出室１３から第２連通孔１５を介して貯留室１２へ侵入し、又は貯留室１２の内部で結露した水滴である水ｗ２は、開閉排水孔１９が閉止栓２０により閉止しているため、貯留室１２の内部に溜まる。この貯留室１２の内部に溜まった水ｗ２を、図４に示すように、閉止栓２０を開閉排水孔１９から抜くことで、開閉排水孔１９から外部へと排出することができる。
【００４９】
貯留室１２では、排出室１３のように、常時水ｗ２を外部に排出することはできないが、第１連通孔１４の貯留室１２側の開口部１４ａまで、溜まらなければ防滴室１１へと水ｗ２は進入することがない。また、前述したように、第１連通孔１４の開口部１４ａは、ある程度の水圧がかからなければ水が進入しないような大きさに形成されていることで、防滴室１１への水の進入を防ぐことができる。
【００５０】
次に、図５に示すように、ケース１の使用中などで、外部通気孔１６がｙ方向の上方に開口した場合について説明する。外部通気孔１６から進入する水滴、又は排出室１３の結露で発生した水滴である水ｗ１は、第２仕切壁８を底とした排出室１３に溜まる。排水孔１８の高さまで溜まると、排水孔１８から外部へと排出することができる。
【００５１】
このとき、排水孔１８の開口部１８ａと１８ｂの大きさが外部通気孔１６の開口部１６
ａと１６ｂよりも大きいこと、また、第２連通孔１５の開口部１５ａの位置が、排水孔１８よりも高い位置にあることから、水ｗ１は貯留室１２へ進入する可能性が低い。仮に、貯留室１２へ水ｗ１が進入しても、第１連通孔１４の開口部１４ａの位置が高い位置にあるため、直ぐに防滴室１１へ流れ込むことがなく、水ｗ２として、貯留室１２に溜まる。貯留室１２から防滴室１１へ水ｗ２が進入する前に、ケース１を通常の状態に戻して、閉止栓２０を開閉排水孔１９から抜けば、の水ｗ２を外部へ排出することができる。
【００５２】
次に、図６に示すように、排水孔１８がｙ方向の上方に開口した場合について説明する。排水孔１８から進入した水は、外部仕切壁３を底にした排出室１３に水ｗ１として溜まるが、ある程度溜まると、外部通気孔１６から外部へと排出することができる。しかし、排水孔１８から進入する水量が外部通気孔１６からは排出する水量よりも多いため、水は徐々に水嵩を増し、第２連通孔１５から貯留室１２へと進入する可能性がある。
【００５３】
前述したように、貯留室１２に溜まった水ｗ２が防滴室１１へ進入するにはある程度の時間がかかり、その間に貯留室１２に溜まった水ｗ２を外部へと排出すればよい。貯留室１２に溜まった水ｗ２は、閉止栓２０を開閉排水孔１９から抜くことで外部へと排出することができるが、図７に示すように、外部通気孔１６から排出してもよい。
【００５４】
このように、ケース１の防滴構造１０は、ケース１の姿勢が様々に変化しても、防滴室１１へ水が進入することを防ぐことができるので、防滴室１１内に収納した水に弱い電子部品などを、水から保護することができ、その故障を防ぐことができる。
【００５５】
次に、上記の防滴構造１０を備えた、携帯可能な温度計測器用ケース３０について、図８〜１２を参照しながら説明する。図８の側面図に示すように、温度計測器用ケース３０は、図９及び図１０に示すケース上側部１ａと図１１に示すケース下側部１ｂとを凹凸により嵌合して、水密性を高めるように構成したケース１と、図１２に示す電源装置用カバー（防滴室用カバー）２を嵌合する構成である。
【００５６】
ケース上側部１ａは、図８に示すように、外部仕切壁３に表示装置が収まる表示装置保持３１と操作装置が収まる操作装置保持部３２を備え、ケース下側部１ｂは、電源装置が収まる電源装置保持部３３と計測端子が収まる計測端子保持部３４を備える。また、ケース上側部１ａとケース下側部１ｂとが勘合して、主基板が収まる主基板保持部３５を形成する。
【００５７】
また、ケース上側部１ａとケース下側部１ｂとが勘合し、電源装置保持部３３と主基板保持部３５とからなる防滴室１１、貯留室１２、及び図示しない排出室１３とを形成して、防滴構造１０を形成する。
【００５８】
ここで、温度計測器用ケース３０の通常の姿勢について説明する。温度計測器用ケース３０を使用するときに計測者は、表示装置を見ながら計測するので、外部仕切壁５が下面となる姿勢の状態である。また、計測しないときに温度計測器用ケース３０を保管するときも、外部仕切壁５を下面とする姿勢の状態である。よって、図８に示す姿勢の状態のときに、外部通気孔１６が排水孔１８（図示しない）と開閉排水孔１９よりも上方に位置するように、且つ、排水孔１８（図示しない）と開閉排水孔１９とが、第１連通孔１４と第２連通孔１５（図示しない）よりも下方に位置するように構成する。
【００５９】
そのため、図９の（ａ）及び図１０の（ａ）に示すように、外部通気孔１６を外部仕切壁４ａに設け、且つ、図１１の（ｂ）に示すように、排水孔１８と開閉排水孔１９とを、ケース下側部１ｂに設けることで、外部から外部通気孔１６を介して水が温度計測器用ケース３０の内部に進入しにくくすることができ、仮に内部へ進入しても、防滴室１１への
水の進入を防ぐことができる。
【００６０】
温度計測器用ケース３０の防滴構造１０を、図９の（ｂ）に示すように、防滴室１１と貯留室１２とをｘ方向に配置して、第１連通孔１４で連通し、貯留室１２と排出室１３とをｚ方向に配置して、第２連通孔１５で連通すると、第１連通孔１４と第２連通孔１５と外部通気孔１６とからなる通気路１７を、貯留室１２を介して屈曲させることができる。これにより、通気路１７が複雑化して、より防滴室１１への水の進入を防ぐことができる。
【００６１】
第２連通孔１５の排出室１３側の開口部１５ａを、図１０の（ｂ）及び（ｄ）に示すように、第２仕切壁８から突出した位置になるように形成すると共に、貯留室１２側の開口部１５ｂを面取り加工して形成する。また、開口部１５ａの大きさｒ２は、好ましくは水の表面張力が十分に働き防滴室１１内部の圧力によって水が防滴室１１へ進入しにくい大きさ、より好ましくはΦ０．５ｍｍ〜Φ１．５ｍｍがよい。これにより、貯留室１２から空気、及び貯留室１２に溜まった水滴が通過しやすく、一方で、排出室１３から貯留室１２へ水滴が通過しにくい構造になり、結果として、防滴室１１への水の進入を防ぐことができる。なお、第１連通孔１４も第２連通孔１５と同様の構成となる。
【００６２】
排水孔１８と開閉排水孔１９を、図１１の（ａ）及び（ｂ）に示すように、ケース下側部１ｂの下面である、外部仕切壁５に設けると、温度計測器用ケース３０を使用しないときに、排水孔１８と開閉排水孔１９がｙ方向の下方に開口するため、貯留室１２と排出室１３の結露により発生する水滴を外部へ排出することができる。また、温度計測器用ケース３０を使用するときも、通常の使用方法では、排水孔１８は、第２連通孔１５と外部連通孔１６よりも、ｙ方向の下方に位置することが多いため、外部より侵入した水滴や結露による水滴を排出することができる。
【００６３】
図１２の（ａ）に示すように、電源装置用カバー２をケース下側部１ｂに嵌合した際に、排水孔１８が外部に開口するように排水孔用開口部２１を開口して形成すると共に、開閉排水孔１９を閉止するように閉止栓２０を電源装置用カバー２から突出して形成する。これにより、排水孔１８からは、常に水を排出することができる。また、開閉排水孔１９に閉止栓２０を差し込み、閉止することで、貯留室１２への外部からの水の進入口を塞ぐことができる。
【００６４】
この電源装置用カバー２は、温度計測器用ケース３０の電源装置の蓋となっており、温度計測器用ケース３０を分解せずとも、容易に脱着可能に形成され、ケース下側部１ｂに嵌合して、電源装置保持部３３とともに、電源装置を保持している。これにより、貯留室１２に水滴が溜まったときに、容易に防滴室用カバー２をケース下側部１ｂから外して、開閉排水孔１９から閉止栓２０を抜くことができる。そのため、貯留室１２に溜まった水が防滴室１１へ進入することを事前に防ぐことができる。
【００６５】
上記の構成によれば、温度計測器用ケース３０が防滴構造１０を備えるので、前述した作用効果と同様の作用効果を得ることができる。これにより、携帯可能な温度計測器用ケース３０は、温度差がある場所へ持ち運び、温度計測器用ケース３０の内部に水分が進入しても、その水分を気体として外部へ排出し、又は結露による水滴を外部へ排出するので、主基板や電源装置などの故障を防ぐことができる。また、例えば、温度計測器用ケース３０を水の中に落とすなどの不測の事態であっても、従来よりも内部への水の進入を防ぐことができる。
【００６６】
さらに、ケース１の加工で上記の作用効果を得ることができるので、ゴムパッキンやケースの継ぎ目にシールを用いるケースと比べて、部品点数を減少させ、及び加工点数も減
少させることができ、製造コストを低減することができる。また、上記の理由から、温度計測器用ケース３０を容易に分解することもでき、メンテナンス性を向上させることができる。
【００６７】
上記の実施の携帯のケースの防滴構造１０は、携帯可能な温度計測器用ケース３０内に設けた場合で説明したが、このケースの防滴構造１０を適用することができるケースは温度計測器用ケース３０に限定しない。
【産業上の利用可能性】
【００６８】
本発明のケースの防滴構造は、形状の工夫により、部品点数の増加を伴わずに防滴ができ、しかも、外部との通気性を確保して内部における結露を防止できるので、特に携帯可能な温度計測器用ケースに利用することができる。
【符号の説明】
【００６９】
１  ケース
２  防滴室用カバー（電源装置用カバー）
３〜６  外部仕切壁
７  第１仕切壁
８  第２仕切壁
１０  防滴構造
１１  防滴室
１２  貯留室
１３  排出室
１４  第１連通孔
１５  第２連通孔
１６  外部通気孔
１７  通気路
１８  排水孔
１９  開閉排水孔
２０  閉止栓
３０  温度計測器用ケース
【図１】
0005775835.tif 000002
【図２】
0005775835.tif 000003
【図３】
0005775835.tif 000004
【図４】
0005775835.tif 000005
【図５】
0005775835.tif 000006
【図６】
0005775835.tif 000007
【図７】
0005775835.tif 000008
【図８】
0005775835.tif 000009
【図９】
0005775835.tif 000010
【図１０】
0005775835.tif 000011
【図１１】
0005775835.tif 000012
【図１２】
0005775835.tif 000013